(57)【要約】  挿抜可能なボートを有する情報処理装置であって、前記ボードは、前記ボードを制御する第１制御回路と、前記第１制御回路の電源を制御する第２制御回路と、前記ボードを係止および係止解除可能な係止部と、前記係止部をロックするロック部と、前記係止部が前記ロック部によりロックされたときにオンとなるロックスイッチと、を備え、前記第２制御回路は、前記ロックスイッチがオンのとき、前記第１制御回路の電源をオンにする。
2013145300.tif 000002
【特許請求の範囲】
【請求項１】
挿抜可能なボートを有する情報処理装置であって、
前記ボードは、
前記ボードを制御する第１制御回路と、
前記第１制御回路の電源を制御する第２制御回路と
前記ボードを係止および係止解除可能な係止部と、
前記係止部をロックするロック部と、
前記係止部が前記ロック部によりロックされたときにオンとなるロックスイッチと、
を備え、
前記第２制御回路は、前記ロックスイッチがオンのとき、前記第１制御回路の電源をオンにする
ことを特徴とする情報処理装置。
【請求項２】
前記ボードは、前記ボードが前記係止部により前記情報処理装置内に係止されたときにオンとなる電源スイッチをさらに備え、
前記第２制御回路は、前記電源スイッチおよび前記電源スイッチがオンの場合、前記第１制御回路の電源をオンすることを特徴とする請求項１記載の情報処理装置。
【請求項３】
前記第２制御回路は、前記第１制御回路の電源がオンとなった後、前記ロックスイッチがオフとなり、前記ロックスイッチがオフの状態が所定時間以上続いた場合、前記係止部が未ロックであることを通知することを特徴とする請求項１または２記載の情報処理装置。
【請求項４】
ボードを制御する第１制御回路と、前記第１制御回路の電源を制御する第２制御回路と前記ボードを係止および係止解除可能な係止部と、前記係止部をロックするロック部と、前記係止部が前記ロック部によりロックされたときにオンとなるロックスイッチと、を備える挿抜可能な前記ボートを有する情報処理装置が実行する電源制御方法であって、
前記ロックスイッチを監視し、
前記ロックスイッチがオンのとき、前記第１制御回路の電源をオンにすることを特徴とする電源制御方法。
【請求項５】
前記ボードは、前記ボードが前記係止部により前記情報処理装置内に係止されたときにオンとなる電源スイッチをさらに備え、
前記第１制御回路の電源をオンにする処理において、前記電源スイッチおよび前記電源スイッチがオンの場合、前記第１制御回路の電源をオンすることを特徴とする請求項４記載の電源制御方法。
【請求項６】
前記第１制御回路の電源がオンとなった後、前記ロックスイッチがオフとなり、前記ロックスイッチがオフの状態が所定時間以上続いた場合、前記係止部が未ロックであることを通知することを特徴とする請求項４または５記載の電源制御方法。
【発明の詳細な説明】
【技術分野】
【０００１】
本発明は、情報処理装置および電源制御方法に関する。
【背景技術】
【０００２】
Advanced Telecom Computing Architecture（ATCA）とはPCI Industrial Computer Manufacturers Group（PICMG）が通信事業者向けに規格化した世界標準規格である。
ATCAでは、シャーシとシャーシに挿入するボード（ブレード）のハードウェア仕様が規定されている。ATCAでは、ハードウェア監視には標準インターフェースのIPMI(Intelligent Platform Management Interface)を採用し、ボードの制御回路にIPMC（Intelligent Platform Management Controller）を実装することでボード上の温度、電圧、電力供給など監視している。【０００３】
また、シャーシ電源を入れたままボードを挿抜できる(ホットスワップ)機能を有しており、ATCA規格のボード電源のオンオフは挿抜時に使用するイジェクタで操作することが規定されている。【０００４】
ボードをシャーシに挿入した場合、シャーシからボードに給電され、ボード上の制御回路が動作し、更にイジェクタを操作することでボード電源がオンになり、ボード上の主回路が動作する。【０００５】
図１は、従来のサーバの構成図である。
サーバ１１０１は、シャーシ１２０１およびボード１３０１を備える。
シャーシ１２０１は、ボード１３０１を格納する筐体である。【０００６】
シャーシ１２０１は、シャーシ制御モジュール１２０２、電源モジュール１２０４、およびバックプレーン１２０５を備える。
シャーシ制御モジュール１２０２は、シャーシ１２０１を監視し、ボード１３０１からの通知を受信する等の処理を行う回路が搭載されたボードである。【０００７】
電源モジュール１２０４は、シャーシ制御モジュール１２０２およびボード１３０１への電力を供給する電源装置である。
バックプレーン１２０５は、ボード１３０１と接続するコネクタ１２０６、およびボード１３０１間およびシャーシ制御モジュール１２０２との通信を行うバス等を有する回路基板である。バックプレーン１２０５は、電源モジュール１２０４と接続し、ボード１３０１への電力は、コネクタ１２０６を介して供給される。【０００８】
ボード１３０１は、制御回路１３１１、主回路１３２１、電圧・温度センサー１３３１、コネクタ１３４１、イジェクタ１３６１−１、１３６１−２、および電源スイッチ１３７１を備える。【０００９】
制御回路１３１１は、一次電源１３１２、ボード監視回路１３１３、電源制御回路１３１４、および電源スイッチ（ＳＷ）監視回路１３１５を備える。
一次電源１３１２は、コネクタ１３４１の接続時に電源モジュール１２０４から電源を受け、制御回路１３１１に給電する。【００１０】
ボード監視回路１３１３は、ボード１３０１の状態をシャーシ制御モジュール１２０２に通知する。
電源制御回路１３１４は、ボード電源１３２８のオンオフを制御する。詳細には、電源制御回路１３１４は、電源スイッチ１３７１がオンとなったらボード電源１３２８をオンにし、電源スイッチ１３７１がオフとなったらボード電源１３２８をオフとする。【００１１】
電源スイッチ監視回路１３１５は、電源スイッチ１３７１を監視し、電源スイッチ１３７１の状態（オンまたはオフ）を電源制御回路１３１４に通知する。
主回路１３２１は、各種処理を行う回路（不図示）とボード電源１３２８を備える。【００１２】
ボード電源１３２８は、主回路１３２１に電力を供給する。
電圧・温度センサー１３３１は、ボード１３０１に供給される電圧やボードの温度を測定し、ボード監視回路１３１３に通知する。【００１３】
コネクタ１３４１は、バックプレーン１２０５のコネクタ１２０６と接続し、電源モジュール１２０４からの電力の供給やシャーシ制御モジュール１２０２との信号の入出力を行うコネクタである。【００１４】
図２Ａは、従来のボード挿入中のイジェクタの図である。
図２Ｂは、従来のボード挿入後のイジェクタの図である。
図２Ｃは、従来のイジェクタロック時のイジェクタの図である。【００１５】
尚、図２Ａ〜２Ｃは、イジェクタ１３６１−１の拡大図である。
イジェクタ１３６２−１は、イジェクタ１３６１−１を固定し、イジェクタ１３６１−１の動きを抑止するロック部１３６２−１を備える。【００１６】
ボード１３０１をシャーシ１２０１へ挿入するとき、電源スイッチ１３７１は押下されておらず、オフ状態となっている（図２Ａ）。シャーシ１２０１へのボード１３０１の挿入が完了すると、イジェクタ１３６２−１に付属するロック部１３６２−１により、電源スイッチ１３７１が押下され、電源スイッチ１３７１はオン状態となる（図２Ｂ）。【００１７】
イジェクタ１３６１−１への接触が発生した場合、イジェクタ１３６１−１が動いてしまい、電源スイッチ１３７１がオフとなり、ボード電源がオフとなる誤動作が発生する。このような事態を防止するため、ユーザは、イジェクタ１３６１−１が動かないようにロック部１３６２−１をスライドさせ、イジェクタ１３６１−１をロックする（図２Ｃ）。これにより、ボード電源の誤操作を防止している。
【先行技術文献】
【特許文献】
【００１８】
【特許文献１】実開平５−８７９９２号公報
【特許文献２】特開平５−２０４５０６号公報
【特許文献３】特開２００７−３１７９５３号公報
【特許文献４】特開２００８−２１８８３５号公報
【発明の概要】
【発明が解決しようとする課題】
【００１９】
従来のサーバは、イジェクタが未ロック状態であることを検出する手段が存在しなかった。そのため、作業者がボードの挿入時にイジェクタのロックを忘れたり、ボードの動作中に保守作業によりケーブル等がロック部に接触し、イジェクタが未ロック状態になってしまうという事態が発生する。【００２０】
イジェクタが未ロック状態の場合、イジェクタへの接触等のアクシデントにより、電源スイッチがオフとなる等の誤動作が発生するという問題がある。
１つの側面では、本発明は、電源スイッチの誤動作を防止することを目的とする。
【課題を解決するための手段】
【００２１】
第１の案では、情報処理装置は、挿抜可能なボートを有する。
前記ボードは、第１制御回路と、第２制御回路と、係止部と、ロック部と、ロックスイッチと、を備える。【００２２】
前記第１制御回路は、前記ボードを制御する。
前記第２制御回路は、前記第１制御回路の電源を制御する。
係止部は、前記ボードを係止および係止解除可能にする。【００２３】
ロック部は、前記係止部をロックする。
ロックスイッチは、前記係止部が前記ロック部によりロックされたときにオンとなる。
前記第２制御回路は、前記ロックスイッチがオンのとき、前記第１制御回路の電源をオンにする。
【発明の効果】
【００２４】
実施の形態の情報処理装置によれば、電源スイッチの誤動作を防止することができる。
【図面の簡単な説明】
【００２５】
【図１】従来のサーバの構成図である。
【図２Ａ】従来のボード挿入中のイジェクタの図である。
【図２Ｂ】従来のボード挿入後のイジェクタの図である。
【図２Ｃ】従来のイジェクタのロック時のイジェクタの図である。
【図３】実施の形態に係るサーバの斜視図である。
【図４】実施の形態に係るサーバの機能ブロック図である。
【図５】実施の形態に係るシャーシおよびボードの詳細な構成図である。
【図６Ａ】実施の形態に係る未ロック状態のイジェクタの図である。
【図６Ｂ】実施の形態に係るイジェクタの動きを示す図である。
【図６Ｃ】実施の形態に係るロック状態のイジェクタの図である。
【図７Ａ】実施の形態に係るボード挿入中のイジェクタの図である。
【図７Ｂ】実施の形態に係るボード挿入後のイジェクタの図である。
【図７Ｃ】実施の形態に係るイジェクタロック時のイジェクタの図である。
【図８】実施の形態に係るイジェクタの構成および動作を示す図である。
【図９】実施の形態に係る電源制御処理のシーケンス図である。
【図１０】実施の形態に係るボードの状態を示すタイムチャートである。
【図１１】ボード挿入前のボードの状態を示す図である。
【図１２】ボード挿入完了時のボードの状態を示す図である。
【図１３】イジェクタがロック状態のボードの状態を示す図である。
【図１４】ボード電源がオン時のボードの状態を示す図である。
【図１５】イジェクタが未ロック状態のボードの状態を示す図である。
【図１６】イジェクタが未ロック状態となってから所定時間後のボードの状態を示す図である。
【図１７】イジェクタがオープン時のボードの状態を示す図である。
【図１８】ボード電源がオフ時のボードの状態を示す図である。
【発明を実施するための形態】
【００２６】
以下、図面を参照しながら実施の形態について説明する。
図３は、実施の形態に係るサーバの斜視図である。
サーバ１０１は、情報処理装置の一例であり、例えば、テレコムサーバである。
サーバ１０１は、シャーシ２０１およびボード３０１−ｉ（ｉ＝１〜１４）を備える。
【００２７】
シャーシ２０１は、ボード３０１を格納する筐体である。シャーシ２０１は、シャーシ２０１を監視する制御モジュール、シャーシ２０１やボード３０１間を接続するバックプレーン、ボード３０１に電力を供給する電源モジュール等を備える。
【００２８】
シャーシ２０１には、ボード３０１を格納するスロットが設けられており、スロットにはボード３０１をバックプレーンに案内するためのレールが設けられている。ボード３０１は、レールに沿ってシャーシ２０１に挿入され、シャーシ２０１内のバックプレーンと接続する。
【００２９】
ボード３０１は、各種回路が搭載された回路基板である。ボード３０１は、例えば、サーバブレード、スイッチブレード等である。ボード３０１は、例えば、ATCAに準拠したボード（ATCAボード）である。
【００３０】
図４は、実施の形態に係るサーバの機能ブロック図である。
サーバ１０１は、シャーシ２０１およびボード３０１−ｉを備える。
ボード３０１−ｉは、シャーシ２０１内に格納される。
尚、図４では、ボード３０１−１〜３０３−３のみを記載し、他のボードは省略している。
【００３１】
シャーシ２０１は、シャーシ制御モジュール２０２、ファントレイ２０３、電源モジュール２０４、およびバックプレーン２０５を備える。
【００３２】
シャーシ制御モジュール２０２は、シャーシ２０１を監視し、ボード３０１からの通知を受信する等の処理を行う回路が搭載されたボードである。
【００３３】
ファントレイ２０３は、シャーシ２０１内への吸気またはシャーシ２０１外への排気を行うファンが搭載されたトレイである。
【００３４】
電源モジュール２０４は、シャーシ制御モジュール２０２およびボード３０１への電力を供給する電源装置である。
【００３５】
バックプレーン２０５は、ボード３０１と接続するコネクタ、ボード３０１間およびシャーシ制御モジュール２０２との通信を行うバス等を有する回路基板である。バスとして、例えば、Intelligent Platform Management Bus （IPMB）が用いられる。
【００３６】
ボード３０１は、各種回路が搭載された回路基板であり、ATCAに準拠したボード（ATCAボード）である。ボード３０１は、バックプレーン２０５と接続している。
【００３７】
ボード３０１は、ハードウェアを監視する標準インターフェースであるIntelligent Platform Management Interface（IPMI）を採用している。
【００３８】
ボード３０１−１、３０１−２は、サーバの機能を有する回路が搭載されたサーバブレードである。
ボード３０１−３は、ネットワークスイッチ機能を有するスイッチブレードである。
【００３９】
ボード３０１−１〜３０１−３は、それぞれIntelligent Platform Management Controller（IPMC）が実装された制御回路３０２−１〜３０２−３を備える。
【００４０】
ボード３０１−１、３０１−２は、通信を行うＬＡＮチップ３０３−１、３０３−２をそれぞれ備え、ボード３０１−３は、データの中継等を行うネットワークスイッチ３０４を備え、ボード３０１間はイーサネット（登録商標）により接続されている。
【００４１】
図５は、実施の形態に係るシャーシおよびボードの詳細な構成図である。
尚、図５では、ボード３０１−１のみを記載し、他のボードは省略している。
シャーシ２０１は、シャーシ制御モジュール２０２、電源モジュール２０４、およびバックプレーン２０５を備える。
【００４２】
シャーシ制御モジュール２０２は、シャーシ２０１を監視し、ボード３０１からの通知を受信する等の処理を行う回路が搭載されたボードである。
【００４３】
電源モジュール２０４は、シャーシ制御モジュール２０２およびボード３０１への電力を供給する電源装置である。
【００４４】
バックプレーン２０５は、ボード３０１と接続するコネクタ２０６、およびボード３０１間およびシャーシ制御モジュール２０２との通信を行うバス等を有する回路基板である。バックプレーン２０５は、電源モジュール２０４と接続し、ボード３０１への電力は、コネクタ２０６を介して供給される。
【００４５】
ボード３０１−１は、制御回路３１１、主回路３２１、電圧・温度センサー３３１、コネクタ３４１、正面板３５１、イジェクタ３６１−１、３６１−２、電源スイッチ３７１、およびロックスイッチ３８１を備える。
【００４６】
制御回路３１１は、一次電源３１２、ボード監視回路３１３、電源制御回路３１４、電源スイッチ（ＳＷ）監視回路３１５、およびロックスイッチ監視回路３１６を備える。
【００４７】
一次電源３１２は、コネクタ３４１の接続時に電源モジュール２０４から電源を受け、制御回路３１１に給電する。
【００４８】
ボード監視回路３１３は、ボード３０１−１の状態をシャーシ制御モジュール２０２に通知する。
電源制御回路３１４は、ボード電源３２８のオンオフを制御する。
【００４９】
電源スイッチ監視回路３１５は、電源スイッチ３７１を監視し、電源スイッチ３７１の状態（オンまたはオフ）を電源制御回路３１４に通知する。
【００５０】
ロックスイッチ監視回路３１６は、ロックスイッチ３８１を監視し、ロックスイッチ３８１の状態（オンまたはオフ）を電源制御回路３１４に通知する。
【００５１】
主回路３２１は、Central Processing Unit（ＣＰＵ）３２２、メモリ３２３、ハードディスクドライブ（ＨＤＤ）３２４、ＬＡＮチップ３２５、チップセット３２６、PCI Bridge３２７、およびボード電源３２８を備える。
【００５２】
主回路３２１は、ボード３０１−１の制御を行う。
ＣＰＵ３２２は、各種処理を行う回路である。
メモリ３２３は、データを一時的に格納する記憶装置である。メモリ３２３は、例えば、Random Access Memory（ＲＡＭ）である。
【００５３】
ＨＤＤ３２４は、データを格納する記憶装置である。ＨＤＤ３２４は、例えば、磁気ディスク装置である。また、ＨＤＤ３２４として、Solid State Drive（ＳＳＤ）等の半導体記憶装置を用いても良い。
【００５４】
ＬＡＮチップ３２５は、データの送受信を行う回路である。
チップセット３２６は、ＣＰＵ３２２とメモリ３２３間のデータの受け渡しの制御等を行う回路である。
【００５５】
PCI Bridge３２７は、PCIバスを制御する回路である。
ボード電源３２８は、主回路３２１に電力を供給する電源である。
電圧・温度センサー３３１は、ボード３０１−１に供給される電圧やボードの温度を測定し、ボード監視回路３１３に通知する。
【００５６】
コネクタ３４１は、バックプレーン２０５のコネクタ２０６と接続し、電源モジュール２０４からの電力の供給やシャーシ制御モジュール２０２との信号の入出力を行うコネクタである。
【００５７】
正面板３５１は、制御回路３１１や主回路３２１が搭載されている基板の端に該基板に対して直角に設けられた板である。
【００５８】
イジェクタ３６１−１、３６１−２は、ボードの挿入および抜去に用いられるレバー状の部材である。イジェクタ３６１−１、３６１−２は、係止部の一例である。
【００５９】
イジェクタ３６１−１、３６１−２は、ボードの角部の近傍に設けられた支点３６３−１、３６３−２を中心に回動可能であり、ボード３０１−１の角部にそれぞれ取り付けられている。
【００６０】
ボード３０１−１をシャーシ２０１に挿入し、イジェクタ３６１−１、３６１−２をイジェクタ３６１−１、３６２−２の先端が前面板３５１に近づく方向に回転させると、ボード３０１−１はシャーシ２０１に係止される。
【００６１】
イジェクタ３６１−１、３６１−２をイジェクタ３６１−１、３６２−２の先端が前面板３５１から離れる方向に回転させ、所定の角度以上回転させると、ボード３０１−１はシャーシ２０１から押し出され（係止解除）、抜去可能となる。
【００６２】
イジェクタ３６１−１、３６１−２は、イジェクタ３６１−１、３６１−２をロックするロック部３６２−１、３６２−２をそれぞれ備える。ロック部３６２−１、３６２−２は、所定の方向にスライドすることにより、イジェクタ３６１−１、３６１−２をロックするつまみである。
【００６３】
イジェクタ３６１−１に取り付けられたロック部３６２−１は、ロック部３６２−１の位置に応じて電源スイッチ３６１およびロックスイッチ３７１を押下する。
【００６４】
電源スイッチ３６１は、ボード３０１−１がシャーシ２０１に挿入されて、シャーシ２０１に係止されたときに、ロック部３６２−１により押下されるプッシュスイッチである。
【００６５】
ロックスイッチ３７１は、ロック部３６２−１がスライドし、イジェクタ３６１−１がロックされると、ロック部３６２−１により押下されるプッシュスイッチである。
【００６６】
電源スイッチ３６１およびロックスイッチ３７１は、内部にスプリングを有し、押下されている間だけスイッチがオンになる自動復帰型スイッチ（モーメンタリスイッチ）である。
【００６７】
次に、イジェクタのロックについて説明する。
尚、イジェクタ３６１−１およびイジェクタ３６１−２の構造は同様であるため、ここでは、イジェクタ３６１−１のみ説明する。
【００６８】
図６Ａは、実施の形態に係る未ロック状態のイジェクタの図である。
図６Ｂは、実施の形態に係るイジェクタの動きを示す図である。
図６Ｃは、実施の形態に係るロック状態のイジェクタの図である。
【００６９】
ボード３０１−１の挿入後、イジェクタ３６１−１が未ロック状態の場合、ロック部３６２−１は、イジェクタ３６１−１の先端に設けられた取っ手３６４−１側に位置し、ロック部３６２−１に設けられた切り欠き部３６５−１は、正面板３５１と嵌合していない（図６Ａ）。
【００７０】
イジェクタ３６１−１が未ロック状態の場合、図６Ｂに示すように、イジェクタ３６１−１は、反時計回りに回動可能となっており、所定の角度以上回転すると、ボード３０１−１は、シャーシ２０１から押し出され（係止解除）、抜去可能となる。
【００７１】
ロック部３６２−１をイジェクタ３６１−１の根元方向に移動させると、切り欠き部３６５−１は、正面板３５１と嵌合する（図６Ｃ）。
【００７２】
これにより、イジェクタ３６１−１は、前面板３５１に固定され、ロック状態となる。それにより、イジェクタ３６１−１にケーブル等が接触しても、イジェクタ３６１−１は、動かないため、誤動作が防止される。
【００７３】
次に、ボード挿入中、ボード挿入後、およびイジェクタロック時のイジェクタとスイッチの状態について説明する。
【００７４】
図７Ａは、実施の形態に係るボード挿入中のイジェクタの図である。
図７Ｂは、実施の形態に係るボード挿入後のイジェクタの図である。
図７Ｃは、実施の形態に係るイジェクタロック時のイジェクタの図である。
【００７５】
ボード３０１をシャーシ２０１へ挿入するとき、電源スイッチ３７１およびロックスイッチ３８１は押下されず、オフ状態となっている（図７Ａ）。また、イジェクタ３６１−１の先端は前面板３５１から離れた位置にある（オープン状態）。
【００７６】
ボード３０１−１の挿入に応じて、イジェクタ３６１−１は時計回りに回動し、ロック部３６２−２に設けられた突起部３６３−３は、正面板３５１に設けられた穴を通過する。また、イジェクタ３６１−１の先端は前面板３５１に近い位置にある（クローズ状態）。
【００７７】
尚、イジェクタ３６１−１は、ボード３０１−１の挿入に応じて、回動するように構成されていても良いし、作業者がボード３０１−１の挿入完了時にイジェクタ３６１−１を回動させ、ボード３０１−１をシャーシ２０１に係止させるようにしても良い。
【００７８】
シャーシ２０１へのボード３０１−１の挿入が完了すると、ロック部３６２−２の突起部３６３−３により、電源スイッチ３７１は押下され、電源スイッチ３７１はオン状態となる（図７Ｂ）。
【００７９】
ロック部３６２−２をイジェクタ３６１−１の根元方向にスライドさせ、イジェクタ３６１−１をロックすると、ロック部３６２−２の突起部３６３−３により、ロックスイッチ３８１は押下され、ロックスイッチ３８１はオン状態となる（図７Ｃ）。また、電源スイッチ３７１もオン状態となっている。
【００８０】
図８は、実施の形態に係るイジェクタの構成および動作を示す図である。
図８の左側は未ロック状態、右側はロック状態を示す。
【００８１】
イジェクタ３６１−１は、内部にスプリング３６６−１を有しており、ロック部３６２−１はスプリング３６６−１によりイジェクタ３６１−１の根元方向（図８の矢印方向）に自律的にスライドする（図８右側）。これにより、ボード３０１−１の挿入完了時には、イジェクタ３６１−１は自動的にロック状態を維持する。
【００８２】
ボード３０１−１を抜去する場合、ユーザは、ロック部３６２−１をイジェクタの先端方向にスライドさせる（図８左側）。これにより、イジェクタ３６１−１は未ロック状態となり、ユーザはイジェクタ３６１−１を動かし、ボード３０１−１を抜去することができる。
【００８３】
尚、スプリングは弾性部材の一例であり、例えば、ゴム等を用いても良い。
尚、図８のイジェクタは一例であり、実施の形態において上記のようにスプリングを具備していても良いし、スプリングを具備していなくても良い。
【００８４】
図９は、実施の形態に係る電源制御処理のシーケンス図である。
ここでは、ボード３０１−１の挿入から抜去までの処理について説明する。
ステップＳ５０１において、ボード３０１−１は、シャーシ２０１に挿入され、コネクタ３４１は、バックプレーン２０５のコネクタ２０６と接続し、電力が供給され、一次電源３１２はオンとなる。
【００８５】
ステップＳ５０２において、ボード３０１−１の挿入が完了し、イジェクタ３６１−１が時計回りに回転し、ロック部３６２−１がボード側に押し込まれる（イジェクタのクローズ操作）。
【００８６】
ステップＳ５０３において、ロック部３６２−１により電源スイッチ３７１が押下され、電源スイッチ３７１はオンとなる。
【００８７】
ステップＳ５０４において、イジェクタ３６１−１をロックするために、ロック部３６２−１はイジェクタ３６１−１の根元方向にスライドする（イジェクタのロック操作）。
【００８８】
ステップＳ５０５において、ロックスイッチ３８１はロック部３６２−１により押下され、ロックスイッチ３８１はオンとなる。
【００８９】
ステップＳ５０６において、電源スイッチ３７１およびロックスイッチ３８１の両方がオンとなったので、ボード監視回路３１３は、シャーシ制御モジュール２０２にイジェクタ３６１−１のクローズを通知する。
【００９０】
ステップＳ５０７において、シャーシ制御モジュール２０２は、ボード電源オンの許可をボード監視回路３１３に通知する。通知を受信したボード監視回路３１３は、ボード電源オンの許可を電源制御回路３１４に通知する。
【００９１】
ステップＳ５０８において、電源制御回路３１４は、ボード電源３１８をオンにする。それにより、主回路３２１に電力が供給され、主回路３２１の動作が開始される。
【００９２】
ステップＳ５０９において、保守作業中に作業者の手やケーブル等がロック部３６２−１と接触し、イジェクタ３６１−１が未ロック状態となる方向にロック部３６２−１が移動し、イジェクタ３６１−１が未ロック状態になったとする。
【００９３】
ステップＳ５１０において、ロックスイッチ３８１は、押下されなくなり、ロックスイッチ３８１はオフとなる。電源制御回路３１４は、時間のカウントを開始し、イジェクタ３６１−１が未ロック状態となっている時間を測定する。
【００９４】
イジェクタ３６１−１は未ロック状態のままであったとする。
ステップＳ５１１において、イジェクタ３６１−１が未ロック状態となってから所定時間（例えば、５分）後、電源制御回路３１４は、ボード監視回路３１３に“未ロック”を通知（例えば、未ロック検出信号をオン）する。通知を受信したボード監視回路３１３は、シャーシ制御モジュール２０２に“未ロック”を通知する。通知を受信したシャーシ制御モジュール２０２は、管理者に“未ロック”を通知する。例えば、シャーシ制御モジュール２０２は、サーバ１０１に付属するディプレイ装置に警告（例えば、イジェクタが未ロックであることを示すメッセージ）を表示したり、ネットワークを介して接続された管理装置に警告メッセージを送信する等の処理を行う。
【００９５】
ステップＳ５１２において、イジェクタ３６１−１が再びロック状態となる。すなわち、ロック部３６２−１はイジェクタ３６１−１の根元方向にスライドする。
【００９６】
ステップＳ５１３において、ロックスイッチ３８１はロック部３６２−１により押下され、ロックスイッチ３８１はオンとなる。
【００９７】
ステップＳ５１４において、電源制御回路３１４は、ボード監視回路３１３に“ロック”を通知（例えば、未ロック検出信号をオフ）する。通知を受信したボード監視回路３１３は、シャーシ制御モジュール２０２に“ロック”を通知する。
【００９８】
ステップＳ５１５において、イジェクタ３６１−１が未ロック状態となる方向にロック部３６２−１が移動し、イジェクタ３６１−１が未ロック状態になる。
【００９９】
ステップＳ５１６において、ロックスイッチ３８１は、押下されなくなり、ロックスイッチ３８１はオフとなる。
【０１００】
ステップＳ５１７において、イジェクタ３６１−１を回動させ、ボード３０１−１は係止解除される。
【０１０１】
ステップＳ５１８において、イジェクタ３６１−１の回動にしたがって、ロック部３６２−１は、電源スイッチ３７１から離れ、電源スイッチ３７１は押下されなくなり、電源スイッチ３７１はオフとなる。
【０１０２】
ステップＳ５１９において、電源スイッチ３７１およびロックスイッチ３８１の両方がオフとなったので、ボード監視回路３１３は、シャーシ制御モジュール２０２にイジェクタ３６１−１のオープンを通知する。
【０１０３】
ステップＳ５２０において、シャーシ制御モジュール２０２は、ボード電源オフの許可をボード監視回路３１３に通知する。通知を受信したボード監視回路３１３は、ボード電源オフの許可を電源制御回路３１４に通知する。
【０１０４】
ステップＳ５２１において、電源制御回路３１４は、ボード電源３１８をオフにする。それにより、主回路３２１への電力の供給が停止し、主回路３２１の動作が停止する。
【０１０５】
ステップＳ５２２において、ユーザはボードを抜去する。それにより、一次電源は、オフとなり、制御回路への電力供給は停止し、制御回路の動作は停止する。
【０１０６】
図１０は、実施の形態に係るボードの状態を示すタイムチャートである。
ここでは、ボード３０１−１の挿入から抜去までの処理について説明する。
図１０は、上から順に電源スイッチ３７１、ロックスイッチ３８１、未ロック検出信号、一次電源３１２、およびボード電源３１８の各状態を示す。
図１１は、ボード挿入前のボードの状態を示す図である。
図１２は、ボード挿入完了時のボードの状態を示す図である。
図１３は、イジェクタがロック状態のボードの状態を示す図である。
図１４は、ボード電源がオン時のボードの状態を示す図である。
図１５は、イジェクタが未ロック状態のボードの状態を示す図である。
図１６は、イジェクタが未ロック状態となってから所定時間後のボードの状態を示す図である。
図１７は、イジェクタがオープン時のボードの状態を示す図である。
図１８は、ボード電源がオフ時のボードの状態を示す図である。
【０１０７】
最初、ボード３０１−１のシャーシ２０１への挿入前は、イジェクタ３６１−１の先端は、前面板３５１から離れた位置にあり（オープン状態）、電源スイッチ３７１およびロックスイッチ３８１は押下されておらず、オフとなっている（図１１）。
【０１０８】
ボード３０１−１がシャーシ２０１に挿入されると、コネクタ３４１は、バックプレーン２０５のコネクタ２０６と接続し、電力が供給され、一次電源３１２はオンとなる（時刻t1）。
【０１０９】
ボード３０１−１の挿入が完了し、イジェクタ３６１−１が時計回りに回転し、ロック部３６２−１がボード側に押し込まれると、ロック部３６２−１により電源スイッチ３７１が押下され、電源スイッチ３７１はオンとなる（図１２、時刻t2）。
そして、イジェクタ３６１−１をロックするために、ロック部３６２−１はスライドし、ロックスイッチ３８１はロック部３６２−１により押下され、ロックスイッチ３８１はオンとなる（図１３）。電源スイッチ３７１およびロックスイッチ３８１の両方がオンとなったため、電源制御回路３１４は、ボード電源３１８をオンにする（図１４、時刻t3）。
【０１１０】
その後、保守作業中に作業者の手やケーブル等がロック部３６２−１と接触し、イジェクタ３６１−１が未ロック状態となる方向にロック部３６２−１が移動し、イジェクタ３６１−１が未ロック状態となったとする。このとき、ロックスイッチ３８１は、押下されなくなり、ロックスイッチ３８１はオフとなる（図１５、時刻t4）。電源制御回路３１４は、時間のカウントを開始し、イジェクタ３６１−１が未ロック状態となっている時間を測定する。
【０１１１】
時刻t4以降、イジェクタ３６１−１は未ロック状態のままであったとする。時刻t4から所定時刻後のt5において、電源制御回路３１４は、ボード監視回路３１３に“未ロック”を通知（未ロック検出信号をオン）する。
【０１１２】
ボード監視回路３１３は、“未ロック”の通知を受信すると、シャーシ制御モジュール２０２に“未ロック”を通知する（図１６）。
【０１１３】
時刻t6において、イジェクタ３６１−１が再びロック状態となると、ロックスイッチ３８１はオンとなり、未ロック検出信号もオフとなる。
【０１１４】
ボード３０１−１を抜去する場合、先ず、ロック部３６２−１をスライドさせ、イジェクタ３６１−１を未ロック状態とする。それにより、ロックスイッチ３８１はオフとなる（時刻t7）。
【０１１５】
そして、イジェクタ３６１−１をイジェクタ３６１−１の先端がボード３０１−１から離れる方向（図１７においては、反時計回り）に回動させ、ボード３０１−１を係止解除する。イジェクタ３６１−１の回動にしたがって、ロック部３６２−１は、電源スイッチ３７１から離れ、電源スイッチ３７１は押下されなくなり、電源スイッチ３７１はオフとなる（図１７）。
【０１１６】
電源制御回路３１４は、電源スイッチ３７１およびロックスイッチ３８１がオフとなったので、ボード電源３２８をオフにする（図１８、時刻t8）。
【０１１７】
ボード３０１−１は、シャーシ２０１から抜去され、コネクタ３４１は、コネクタ２０６との接続が解除され、ボード３０１−１への電力の供給が停止し、一次電源３１２は、オフとなる（時刻t9）。
【０１１８】
実施の形態の情報処理装置によれば、ロックスイッチがオンの場合に主回路の電源をオンとするため、未ロック状態で電源がオンとなることを防止できる。それにより、作業者がイジェクタのロックをすることなく作業を終了してしまい、イジェクタへの接触等のアクシデントにより、イジェクタが動き、電源スイッチがオフとなってしまうような誤動作を防止できる。
【０１１９】
実施の形態の情報処理装置によれば、主回路の電源がオンのとき、ロックスイッチがオフとなった状態が所定時間続いた場合、未ロック状態であることを通知する。それにより、管理者は、イジェクタが未ロック状態であることを知ることができる。管理者は、イジェクタが未ロック状態であることが通知された場合、イジェクタをロック状態にする。それにより、イジェクタが未ロック状態のまま放置され、イジェクタへの接触等のアクシデントにより、イジェクタが動き、電源スイッチがオフとなってしまうような誤動作を防止できる。
【図１】
2013145300.tif 000003
【図２Ａ】
2013145300.tif 000004
【図２Ｂ】
2013145300.tif 000005
【図２Ｃ】
2013145300.tif 000006
【図３】
2013145300.tif 000007
【図４】
2013145300.tif 000008
【図５】
2013145300.tif 000009
【図６Ａ】
2013145300.tif 000010
【図６Ｂ】
2013145300.tif 000011
【図６Ｃ】
2013145300.tif 000012
【図７Ａ】
2013145300.tif 000013
【図７Ｂ】
2013145300.tif 000014
【図７Ｃ】
2013145300.tif 000015
【図８】
2013145300.tif 000016
【図９】
2013145300.tif 000017
【図１０】
2013145300.tif 000018
【図１１】
2013145300.tif 000019
【図１２】
2013145300.tif 000020
【図１３】
2013145300.tif 000021
【図１４】
2013145300.tif 000022
【図１５】
2013145300.tif 000023
【図１６】
2013145300.tif 000024
【図１７】
2013145300.tif 000025
【図１８】
2013145300.tif 000026
【国際調査報告】
2013145300.tif 000027
2013145300.tif 000028
2013145300.tif 000029
2013145300.tif 000030